(57)【特許請求の範囲】
【請求項１】
人体の直腸に嵌め込むに適した寸法を有する第一端部を備え、該第一端部は上端を有し、
該第一端部の該上端から中央部の端まで延びる円筒状の面を有し、
更に、該中央部の端から凹部の第一端まで延びる円筒状の中央部を備え、該凹部は該第一端から該凹部の第二端まで延びる凹面を有し、該中央部及び凹部の長さはほぼ等しく１２ｍｍ〜２０ｍｍであり、該中央部の該端は該凹部の該第一端及び第２端の直径とほぼ等しい直径を有する痔核マッサージ装置。
【請求項２】
人体の直腸に嵌め込むに適した寸法を有する第一端部を備え、該第一端部は上端を有し、
該上端から中央部の端まで延びる徐々に狭くなる曲面を有し、
更に、該中央部の端から凹部の第一端迄延びる円筒状の中央部を備え、
該凹部は該第一端から該凹部の第二端まで延びる凹面を有し、該中央部の長さは該凹部の長さとほぼ等しく、１２ｍｍ〜２０ｍｍであり、１２ｍｍと２０ｍｍとを含み、
該中央部の該端は該凹部の該第一端及び該二端の直径とほぼ等しい直径を有する痔核マッサージ装置。
【請求項３】
人体の直腸に嵌め込むに適した寸法を有する第一端部を備え、該第一端部は球根状の上端を有し、
該上端から中央部の端まで延びる曲面又は、円筒状の面を有し、
該中央部は該中央部の該端から凹部の第一端まで延びる曲面又は円筒状の面を備え、該凹部は該凹部の該第一端と該凹部の第二端とから延びる凹面を有し、該中央部及び該凹部の長さはほぼ等しく１２ｍｍ〜２０ｍｍであり、１２ｍｍと２０ｍｍとを含み,該中央部の該端は該凹部の該第一端及び該第二端の直径とほぼ等しい痔核マッサージ装置。
【発明の詳細な説明】
【技術分野】
【０００１】
本発明は、痔核の治療のための器具に関するものである。特に、本発明は、器具の自動運動により内痔核と外痔核とをマッサージするための装置に関するものである。また、本発明は、内痔核と外痔核とをマッサージするために、肛門管内に保持され、肛門管の表面の蠕動運動により動かされる装置に関するものである。
【背景技術】
【０００２】
痔核組織の治療を容易ならしめることを意図したいくつかの肛門治療拡張器と種々の機械的装置とがある。例えば、１９４２年７月１１日に発行されたアメリカ特許第３６７５６４２号は、肛門管を拡張するための術後の静止装置である。この装置は、１．２５インチを越す直径を有し、装置の自由運動を制限する肩部を装置の底部に備えている。この装置の大きな直径は、肛門直腸部の排便反応を引き起こす。また、この装置の直径は、基部のフランジから装置の端部に向って１．５インチ未満に狭くなっている。装置の緩和端に向って徐々に狭くなるテーパ面の広い部分は、肛門直腸の側圧から下方向のスラスト力を受ける。この装置を肛門管内に維持するためには何らかの支持が必要である。
【０００３】
アメリカ特許第４２６３９１４号は、肛門管を手動でマサージする。１９８６年４月２２日、Ｚ．Ｒ．ボイドに対して発行されたアメリカ特許第４５８３５４２号は、頭部における急勾配の周縁肩部と装置に関連させた大きなフランジとにより自由な自動運動が制限されている静止装置を説明している。この装置は、静止位置にとどまるように意図されている。本発明者のアメリカ特許第５７９７９５０号は、会陰部に取り付けられたロッドにより保持された装置の往復直線運動により前立腺のマッサージを行なうために、肛門括約筋の収縮を利用している。
【０００４】
本発明者のアメリカ特許第６５８９１９３号は、内痔核と外痔核とをマッサージするために、全肛門管の静的及び動的な側圧と肛門管の蠕動運動とを利用している。アメリカ特許第６５８９１９３号を除き、櫛膜の活動と肛門管内の蠕動運動とにより内痔核と外痔核とをマッサージするために装置を動かしている発明はない。
【発明の開示】
【発明が解決しようとする課題】
【０００５】
本発明の目的は、肛門管内の蠕動運動を引き起こすことにある。装置は、櫛膜により保持され、櫛膜内の蠕動運動により若干前後に動かされる。櫛膜は、肛門管の狭い凹部である。この僅かな動きは、状態を悪化させることなく、内痔核と外痔核とを効果的にマッサージする。
【０００６】
更に、櫛膜内の蠕動運動は、大量のエネルギーを消費し、肛門直腸部に対する新鮮な血液の循環を増加させ、以て痔核の状態を改善する。
【０００７】
本発明の別の目的は、痔核の状態を悪化させないように滑らかな表面を備えた小径の装置を提供することにある。
【０００８】
本発明の更なる目的は、使い易く、安価であり、かつ、製造容易な痔核治療装置を提供することにある。
【課題を解決するための手段】
【０００９】
本発明は、基本的には、第一端部１１と、中央部２０と、凹部１７とよりなる。第一端部は、球状の上部から中央端部に延びる種々の表面とを備えている。中央部は、中央端部１５から凹部の第一端１６に延びる円筒状、凸状、凹状のような、種々の形状の面により形成される。中央部２０の両端の直径は２０ｍｍ未満である。この小さな直径は、櫛膜の活動を最適化すると共に内痔核の側圧の影響を減少させる。中央部２０の長さは、１２ｍｍ〜２０ｍｍであり、１２ｍｍと２０ｍｍとを含む。凹部１７は、その第一端１６と第二端１８との間の部分を備えている。この凹部１７は、櫛膜が装置を把持することができるように設けられている。凹部１７の長さは、１２ｍｍ〜２０ｍｍであり、１２ｍｍと２０ｍｍとを含む。該凹部の第一端と第二端の直径は、ほぼ等しい。
【発明を実施するための最良の形態】
【００１０】
図１は、本発明の痔核治療装置の好ましい実施例による痔核治療装置１０を示す。装置１０は、肛門管内の櫛膜と共に動くように利用される。この櫛膜は、肛門管の狭い凹部である。
【００１１】
装置１０は、人体の肛門管に嵌め込むに適した寸法を有する。装置１０は、第一端部１１と、中央部２０と、凹部１７とを備えている。第一端部１１は、上端５と、球状の上部７と、該上部７から中央部の端１５まで延びる円筒状の面１４とを備えている。該端１５は破線ｈにより示されている。該中央部２０は、該端１５から凹部第一端１６まで延びる円筒状の面２１を備えている。凹部１７は、凹部１７の第一端１６から第二端１８まで延びる凹面を有する。第二端１８は、破線ｇにより示されている。中央部２０と凹部１７の長さはほぼ等しい。
【００１２】
装置１０は、第二端１８で終了してもよいが、所望の場合には、種々の補助的な付属物、延長部、止め部及びハンドルを該第二端１８に付設する。しかしながら、図１においては、ハンドル２２が第二端１８に設けられている。
【００１３】
端１５における破線ｈから凹部第二端１８における破線ｇまでの距離は、２５ｍｍ〜４０ｍｍであり、２５ｍｍと４０ｍｍとを含む。この距離は、肛門括約筋の全長をあらわす。中央部２０の長さは、１２ｍｍ〜２０ｍｍであり、１２ｍｍと２０ｍｍとを含む。この距離は、内痔核部の長さをあらわす。凹部１７の長さは、１２ｍｍ〜２０ｍｍであり、１２ｍｍと２０ｍｍとを含む。この距離は、櫛膜の長さをあらわす。端１５と第一端１６と第二端１８の直径は、それぞれほぼ等しい。典型的には、これらの直径は１９ｍｍ未満である。本発明の好ましい実施例においては、最適の直径は１２ｍｍ未満である。
【００１４】
第一端部１１は肛門括約筋の範囲外にあり、括約筋の側圧は第一端部１１に影響を与えないため、第一端部１１の円筒状の面１４は種々の形状の面に代えてもよい。
【００１５】
また、中央部２０の円筒状の面２１も種々の形状の面に代えてもよい。このような種々の形状の面を用いた場合にも、中央部２０の端１５と凹部１７の第一端１６との直径の差は、ほぼ等しい。
【００１６】
図２は、痔核治療装置１０と肛門管の構成部分との関係を示す。肛門管の主な構成部分は、内痔核部８０と櫛膜８１と皮下の外側括約筋８３とである。この皮下の外側括約筋８３は外痔核を含む。内痔核部８０の上方には直腸８５の膨大部が示されている。装置１０の使用時には、凹部１７が櫛膜８１の外形に適合するように肛門管内に挿入される。装置１０の凹部１７長さは、櫛膜８１の長さに適合させるために、１２ｍｍ〜２０ｍｍとする。
【００１７】
櫛膜８１は、肛門管の略１／２である。櫛膜８１は約１２ｍｍ〜２０ｍｍの長さを有する。櫛膜８１は、線維組織の厚い硬化した環を形成し、その結果としての狭窄と拘縮とが狭い通路壁を形成しているという特徴を有する。
【００１８】
櫛膜８１が装置１０の凹部１７を把持したときには、該装置に排便圧力が加えられない限り、装置１０は肛門管から動くことができない。これは、凹部１７の第一端１６と第二端１８とが防護壁となるなるからである。櫛膜８１内の蠕動運動が櫛膜８１から装置１０を取り除こうとすると、装置は櫛膜８１内で短い距離だけわずかに上下動する。更に、中央部２０の円筒状の面２１の直径は一定であるため、中央部２０に対する内痔核部の側圧によるスラスト力が相殺され、櫛膜８１の把持能力を妨げないのである。
【００１９】
中央部２０の端１５の直径が櫛膜の長さよりも小さいという状況、及び、端１５と第一端１６との直径の差がほぼ等しいという状況においては、内痔核部の側圧により中央部２０に加えられるスラスト力が生じないので、櫛膜８１により凹部１７に加えられる把持力に比べて、装置１０に対して僅かな効果を持つに過ぎない。
【００２０】
櫛膜の蠕動運動は大量のエネルギーを消費する。これは、血液の循環を増加させ、痔核部の温度を上昇させる。その結果、痔核の状態が治癒される。
【００２１】
図３は、本発明による痔核治療装置７００の実施例を示す。装置７００は、第一端部７１１と、中央部７２０と、凹部７１７とを備えている。第一端部７１１は、球状の上部７０７と、該上部７０７から端７１５まで延びる徐々に狭くなるテーパ面７１４とを備えている。該端７１５は破線ｈにより示されている。該中央部７２０は、該端７１５と凹部７１７の第一端７１６との間に位置する。
【００２２】
中央部７２０は、端７１５から第一端７１６まで延びる凸面７２１を備えており、凹部７１７は、第一端７１６から第二端７１８まで延びる凹面を有する。第二端７１８は、破線ｇにより示されている。中央部７２０と凹部７１７の長さはほぼ等しい。装置７００は、第二端７１８で終了してもよいが、止め部、ハンドル等の種々の補助的な付属物を該第二端７１８に付設してもよい。例えば、図３においては、第二端７１８にハンドル７２２が設けられている。
【００２３】
破線ｈから破線ｇまでの長さは、２５ｍｍ〜４０ｍｍであり、２５ｍｍと４０ｍｍとを含む。この長さは、人体の肛門管の全長をあらわす。中央部７２０の長さは、１２ｍｍ〜２０ｍｍであり、１２ｍｍと２０ｍｍとを含む。この長さは、内痔核部の長さをあらわす。凹部７１７の長さは、１２ｍｍ〜２０ｍｍであり、１２ｍｍと２０ｍｍとを含む。この距離は、櫛膜の長さをあらわす。
【００２４】
中央部７２０の端７１５と凹部７１７の第一端７１６及び第二端７１８との直径の差は、ほぼ等しい。その結果、中央部７２０の凸面は、内痔核部の側圧によるスラスト力がバランスするので、凹部７１７に対する櫛膜の把持能力を阻止し又は妨げることはない。
【００２５】
凹部７１７の第一端７１６と第二端７１８との直径は、ほぼ等しい。その直径は１９ｍｍ未満でよい。
【００２６】
図３に示す本発明による当該別の実施例においては、端部７１１は、球状の上部７０７から中央部７２０の端７１５まで延びる種々の形状の面に置き換えてもよい。
【００２７】
図４は、本発明による痔核治療装置９００の第二の別の実施例を示す。装置９００は、第一端部９１１と、中央部９２０と、凹部９１７とを備えている。第一端部９１１は、球状の上部９０７を備えている。徐々に狭くなるテーパ面９１４が上部９０７から端９１５まで延びている。該端９１５は破線ｈにより示されている。該中央部９２０は、該端９１５と凹部９１７の第一端９１６との間に位置する。凹部９１７は、第一端９１６から第二端９１８まで延びる凹面を有する。中央部９２０と凹部９１７の長さはほぼ等しい。第二端９１８は、破線ｇにより示されている。装置９００は第二端９１８で終了してもよい。この実施例の好ましい形態においては、装置９００の凹部９１７の端９１８に延長部９２２が設けられている。
【００２８】
破線ｈから破線ｇまでの長さは、２５ｍｍ〜４０ｍｍであり、２５ｍｍと４０ｍｍとを含む。中央部の長さは、１２ｍｍ〜２０ｍｍであり、１２ｍｍと２０ｍｍとを含む。凹部の長さは、１２ｍｍ〜２０ｍｍであり、１２ｍｍと２０ｍｍとを含む。
【００２９】
中央部の端９１５と凹部９１７の端９１６との直径の差は、ほぼ等しい。その結果、中央部における装置の凸面は、内痔核部の側圧による推力をバランスするので、櫛膜の把持能力を妨げ又は阻止することはない。凹部９１７の端９１６と端９１８との直径は、ほぼ等しい。
【００３０】
本発明においては、第一端部９１１は、球状の上部９０７から中央部９２０の端９１５まで延びる種々の形状の面に置き換えてもよい。
【００３１】
本発明の上記開示と説明は、その例示的、かつ、説明的なものである。本発明の要旨から逸脱することなく、添付の特許請求の範囲内において、図示の構成の詳細における種々の変更を行なうことが可能である。本発明は、添付の特許請求の範囲及びその均等物によってのみ限定されるものである。
【図面の簡単な説明】
【００３２】
【図１】本発明の痔核治療装置の好ましい実施例の側面図である。
【図２】肛門管の櫛膜内に位置させた本発明の痔核治療装置の好ましい実施例の説明図である。
【図３】本発明の痔核治療装置の別の実施例の側面図である。
【図４】本発明の痔核治療装置の更に別の実施例の側面図である。
【図１】
0004516070.tif 000002
【図２】
0004516070.tif 000003
【図３】
0004516070.tif 000004
【図４】
0004516070.tif 000005